(57)【要約】      （修正有）【課題】置き薬箱について、使用者となる顧客の利便性を高めると同時に、販売者にとってはより容易に使用してもらうことができる工夫をした小物入れ付き置き薬箱を提供する。【解決手段】内部に配置薬を保管保持する置き薬箱本体１１の外部に付属して設けられた小物入れ１４を備えたものであり、好ましくは、小物入れが上部が開放された器状の小物入れが置き薬箱本体に着脱自在に付属して設けられているもの。【選択図】図１
0003198711.tif 000002
【実用新案登録請求の範囲】
【請求項１】
内部に配置薬を保管保持する置き薬箱本体の外部に付属して設けられた小物入れを備えたことを特徴とする小物入れ付き置き薬箱。
【請求項２】
内部に配置薬を保管保持する置き薬箱本体の外部に付属して設けられた小物入れを備え、
前記小物入れが上部が開放された器状の小物入れであることを特徴とする小物入れ付き置き薬箱。
【請求項３】
内部に配置薬を保管保持する置き薬箱本体の外部に付属して設けられた小物入れを備え、
前記小物入れが上部が開放された器状の小物入れであり、
前記小物入れが前記置き薬箱本体に着脱自在に付属して設けられたことを特徴とする小物入れ付き置き薬箱。
【請求項４】
内部に配置薬を保管保持する置き薬箱本体の外部に付属して設けられた小物入れを備え、
前記小物入れが上部が開放された器状の小物入れであり、
前記小物入れが前記置き薬箱本体に磁力によって着脱自在に付属して設けられたことを特徴とする小物入れ付き置き薬箱。
【考案の詳細な説明】
【技術分野】
【０００１】
本考案は、一般に「置き薬（おきぐすり）」と呼ばれる配置薬を保持する薬箱・救急箱（以下、「置き薬箱」と記す）の工夫に関するものである。
【背景技術】
【０００２】
配置薬とは、販売員が顧客の家庭や企業等の配置場所を訪問し、種々の医薬品の入った置き薬箱を配置場所に配置・保管してもらい、次回の訪問時に配置場所で開封・使用した分の配置薬の代金を精算し、集金する我が国独自の販売システムにおいて販売される薬である。
【０００３】
販売者と使用者との信頼関係に裏付けされた販売システムである。この販売システムは、置き薬箱を小さな薬局であると考えることにより、その特徴を表すことができる。例えば、使用者にとって見れば、開封・使用しない限り、費用が発生せず、緊急の場合には、置き薬箱内を見て、配置・保管されている医薬品を開封・使用すれば良いため、夜中であろうが、雨風が激しいときであっても、頼れる小さな薬局として利用することができる。
【０００４】
一方、販売者にとって見れば販売エリア内の配置場所を巡って、個々の配置場所での置き薬箱内に使用されるであろう種々の医薬品を保持させることにより特別な店舗を必要としないため、店舗に係る費用はない。訪れた配置場所の家族構成等を考慮して、どのような緊急な事例があるかを予想し、その緊急な事例に応じた配置薬を置き薬箱内に保持させることが肝要となる。
【０００５】
即ち、配置薬の販売員は、専門的な知識を有することが求められており、詳しくは厚生労働省令で定めるところの薬剤師又は登録販売者でなければならず（薬事法第３１条２項２号）、登録販売者は２００９年６月１日より施行されている資格であり、都道府県の実施する試験に合格した上で、医薬品の販売に従事する店舗の所在地の都道府県に販売従事登録をした者となっている。従って、配置薬の販売員は専門的な知識を有した者として販売員として配置場所に訪問している。
【０００６】
そのため、販売員は、専門的な知識を利用して、配置薬を保持する置き薬箱を新規に配置する際や更には配置薬を補充する際に、配置薬を置いておく家庭や会社等の配置場所における家庭や会社等の構成人の性別・年齢・疾病傾向等を加味した健康相談を行ない、的確な情報提供と緊急時に必要と思われる配置薬の補充等を行っている。この配置薬については、詳細な服用説明書が箱表面に印刷され、更に、この配置薬の保管箱について、各配置薬の配置期限が一目で判別できる配置期限表示体も提案されている（例えば、特許文献１参照）。更には、置き薬箱自体にも、相談用の専用電話番号が記載されており、電話による質問に対しても応答可能な体制を整えてもいる。
【０００７】
この配置薬を保持する置き薬箱については、必要な時までは内部に種々の薬を整然と並べて保持することができ、必要な時には取り出し易いものが選ばれる。例えば、置き薬箱の上部・下部を蝶番で開閉可能とした一般的な救急箱様のものや、正面部が開放された外箱とこの正面部から抽斗式に配される１つ以上の器状の内箱とからなるものが挙げられる。材質としては、旧来の木製のものに変わり、内部がうっすらと見える樹脂製のものが主流となっている。
【先行技術文献】
【特許文献】
【０００８】
【特許文献１】特開平０９−３２８１１４号公報
【考案の概要】
【考案が解決しようとする課題】
【０００９】
配置薬としては、飲み薬以外にも簡便に使用することのできるハンドクリーム等のものもあり、これら簡便に使用するハンドクリームを置き薬箱を開けて取り出し、塗布した後に、置き薬箱内に保管する等の操作が煩わしいものであった。
【００１０】
本考案は、置き薬箱について、使用者となる顧客の利便性を高めると同時に、販売者にとってはより容易に使用してもらうことができる工夫をした置き薬箱を得ることを目的とする。
【課題を解決するための手段】
【００１１】
請求項１に記載された考案に係る小物入れ付き置き薬箱は、内部に配置薬を保管保持する置き薬箱本体の外部に付属して設けられた小物入れを備えたものである。
【００１２】
請求項２に記載された考案に係る小物入れ付き置き薬箱は、内部に配置薬を保管保持する置き薬箱本体の外部に付属して設けられた小物入れを備え、
前記小物入れが上部が開放された器状の小物入れであることを特徴とするものである。
【００１３】
請求項３に記載された考案に係る小物入れ付き置き薬箱は、内部に配置薬を保管保持する置き薬箱本体の外部に付属して設けられた小物入れを備え、
前記小物入れが上部が開放された器状の小物入れであり、
前記小物入れが前記置き薬箱本体に着脱自在に付属して設けられたことを特徴とするものである。
【００１４】
請求項４に記載された考案に係る小物入れ付き置き薬箱は、内部に配置薬を保管保持する置き薬箱本体の外部に付属して設けられた小物入れを備え、
前記小物入れが上部が開放された器状の小物入れであり、
前記小物入れが前記置き薬箱本体に磁力によって着脱自在に付属して設けられたことを特徴とするものである。
【考案の効果】
【００１５】
本考案は、使用者の利便性を高めると同時に、販売者にとってはより容易に使用してもらうことができるという利点が得られる効果がある。
【図面の簡単な説明】
【００１６】
【図１】本考案の小物入れ付き置き薬箱の一実施例の構成を示す説明図である。
【図２】図１の小物入れ付き置き薬箱の小物入れの構成を示す説明図である。
【図３】図１の小物入れ付き置き薬箱の側方の構成を示す説明図である。
【図４】本考案の小物入れ付き置き薬箱の別の実施例の構成を示す説明図である。
【考案を実施するための形態】
【００１７】
本考案においては、内部に配置薬を保管保持する置き薬箱本体の外部に付属して設けられた小物入れを備えるため、置き薬箱について、使用者の利便性を高めると同時に、販売者にとってはより容易に使用してもらうことができるという利点となる。
【００１８】
即ち、置き薬箱の本体に小物入れを付設することにより、置き薬箱本体を開けて内部の配置薬を取り出すのではなく、予め小物入れに保持させることができるため、使用者の利便性を高める。
【００１９】
また、販売者にとってはより容易に使用してもらうことができる。これについては、配置薬は基本的に置き薬箱に入れるのが定番であるが、良く使用してくれる顧客は置き薬箱を開ける習慣となっているが、顧客の大半は置き薬箱を開ける機会は年に数回といったケースが大半である。置き薬箱を開ける機会が少ない顧客は、箱の中に何が入っているか解らない方が多い。そこで、顧客の「目に触れる」ことは勿論ではあるが、ストレスのない導線を確保することで「箱を開ける手間を省く」ために小物入れを設置する。
【００２０】
本考案の小物入れが付属して設けられる置き薬箱としては、置き薬箱の上部・下部を蝶番で開閉可能とした一般的な救急箱様のものや、正面部が開放された外箱とこの正面部から抽斗式に配される１つ以上の器状の内箱とからなるものが挙げられる。また、置き薬の材質としては、旧来の木製のものを始めとし、内部が見える樹脂製のもの等が選択可能である。
【００２１】
本考案の小物入れとしては、蓋等の閉塞する部材のない小物入れを選択することにより、使用者の利便性を高めることができる。より具体的には、上部が開放された器状の小物入れが選択可能である。これにより、置き薬箱本体に横倒しして保持する縦長の配置薬であったしても、本体外部の小物入れに保持させることができる。
【００２２】
本考案の小物入れは、置き薬箱本体に対して、着脱自在に付設されることにより、小物入れが不要な場合には、これを取り外すことができる。着脱自在に付設する方法としては、掛止具や螺子等で固定したり、粘着材等で固着したりすることも可能であるが、好ましい態様として、小物入れが置き薬箱本体に磁力によって着脱自在に付設される場合には、脱着した際に固定跡が表に現れず、良好であるという利点がある。
【実施例】
【００２３】
図１は本考案の小物入れ付き置き薬箱の一実施例の構成を示す説明図である。図２は図１の小物入れ付き置き薬箱の小物入れの構成を示す説明図である。図３は図１の小物入れ付き置き薬箱の側方の構成を示す説明図である。図４は本考案の小物入れ付き置き薬箱の別の実施例の構成を示す説明図である。
【００２４】
図１に示す通り、本実施例の置き薬箱１０は、正面部が開放された樹脂製の外箱１２とこの正面部から抽斗式に配される１つ以上の器状の内箱１３とからなる薬箱本体１１を備える。本体１１の外箱１２はクリーム色の白濁樹脂製であり、内箱１３は黄色の透明な樹脂製である。この置き薬箱１０の本体１１の向かって左側面に小物入れとして小物ケース１４が着脱自在に取付けられている。
【００２５】
図２に示す通り、小物ケース１４は樹脂製の上部が開放された箱形の器状容器であり、薬箱本体側の小物ケース１４の側壁部には２つの磁石１５が配されている。図３に示す通り、薬箱本体１１の外箱１２の向かって左側壁の内側壁面にステンレス板１６が両面テープで貼着されており、このステンレス板１６に対して磁石１５の磁力によって小物ケース１４が着脱自在に固定されている。
【００２６】
小物ケース１４を薬箱本体１１に着脱自在に固定する方法としては、他に掛止具や螺子等で固定したり、両面テープ等の粘着材等で固着したりすることも可能であるが、本実施例の通り、磁力によって着脱自在に付設される場合には、取り外しが簡単に行うことができ、衛生上も問題がなくなり、脱着した際に固定跡が表に現れず、良好であるという利点がある。
【００２７】
小物ケース１４に入れる配置薬は、顧客の目に触れやすく、置き薬箱１０の本体１１を開放せずに、すぐに手にとってもらう事が可能となるため、すぐに簡便に取り扱うことを期待する配置薬を保持させればよい。図２に示す通り、小物ケース１４にはハンドクリーム１７が開示されているが、その他にもスプレー式の鼻炎薬は春先の花粉症の時期に小物ケース１４内に保持させておくと、利便性が向上する。
【００２８】
図４に示す通り、小物ケース１４は向かって左側面でなく、向かって右側面に配置するようにしても良い。
【００２９】
また、配置薬だけでなく、本体１１内部に配置された配置薬のリストや、このリストに付箋等のワンポイントアドバイスを付けたもの等も小物ケース１４内部に保持することもできる。また、マグネットなどで脱着できるため、小物ケース１４が汚れても、取り外して水洗いしたり、ウェットティッシュ等で清掃することも容易に行うことができる。
【００３０】
前述の通り、薬箱本体１１の側方に添える小物ケース１４の中味は、選択が自由であるため、シーズン毎に差し替えも可能であり、尚且つ、各種パウチタイプのサプリメントや、パップ剤の複数配置なども可能となる。
【００３１】
良く使用してくれる顧客は置き薬箱を開ける習慣となっているが、顧客の大半は置き薬箱を開ける機会は年に数回といったケースが大半であり、置き薬箱を開ける機会が少ない顧客は、箱の中に何が入っているか解らない方が多い。本考案の小物入れを備えた置き薬箱では、顧客の「目に触れる」ことは勿論ではあるが、ストレスのない導線を確保することで「箱を開ける手間を省く」ことが可能となる。
【産業上の利用可能性】
【００３２】
使用者となる顧客の利便性を高めると同時に、販売者にとってはより容易に使用してもらうことができるという利点がある。
【符号の説明】
【００３３】
１０…置き薬箱、
１１…薬箱本体、
１２…外箱、
１３…内箱、
１４…小物ケース、
１５…磁石、
１６…ステンレス板、
１７…配置薬（ハンドクリーム）、
【図１】
0003198711.tif 000003
【図２】
0003198711.tif 000004
【図３】
0003198711.tif 000005
【図４】
0003198711.tif 000006